(57)【特許請求の範囲】
【請求項１】
ガス燃料の燃焼圧力で締結材を打ち込むガス燃焼式打ち込み工具であって、ガス燃料を燃焼させるための燃焼室と、前記燃焼室にガス燃料を供給する燃料供給装置と、前記燃料供給装置から供給されたガス燃料を前記燃焼室に導くためのガス供給管と、を備え、
前記燃料供給装置と前記燃焼室とを隣り合うように配置し、
液化したガス燃料を充填した燃料容器を収容する燃料容器収容部を備えるとともに、前記燃料容器収容部に収容された燃料容器と前記燃料供給装置とはガス管で接続され、
ボデーハウジングの内側を遮断壁で区画することにより、前記ガス管を収容するガス管収容部と、前記燃焼室からの熱い空気を前記燃料容器収容部の方向へと流す空気流路と、を形成したことを特徴とする、ガス燃焼式打ち込み工具。
【請求項２】
前記燃焼室は、前記ガス供給管を取り付けるための接続部を備え、
前記ガス供給管の少なくとも一部は、前記接続部よりも熱伝導率の低い材料で形成されていることを特徴とする、請求項１記載のガス燃焼式打ち込み工具。
【請求項３】
前記燃料供給装置と前記燃焼室との間には空気層部が設けられていることを特徴とする、請求項１又は２記載のガス燃焼式打ち込み工具。
【請求項４】
前記燃料供給装置と前記燃焼室との間には断熱部材が設けられていることを特徴とする、請求項１〜３のいずれかに記載のガス燃焼式打ち込み工具。
【請求項５】
前記燃料容器収容部はボデーハウジングの後方に連設されたグリップハウジングに設けられていることを特徴とする、請求項１〜４のいずれかに記載のガス燃焼式打ち込み工具。
【請求項６】
前記ガス管収容部には、外部と連通する排熱口が設けられていることを特徴とする、請求項１〜５のいずれかに記載のガス燃焼式打ち込み工具。
【請求項７】
前記ガス供給管の少なくとも一部は、弾性部材で形成されていることを特徴とする、請求項１〜６のいずれかに記載のガス燃焼式打ち込み工具。
【発明の詳細な説明】
【技術分野】
【０００１】
この発明は、ガス燃料の燃焼圧力で締結材を打ち込むガス燃焼式打ち込み工具に関し、特に、ガス燃料を燃焼させるための燃焼室と、前記燃焼室にガス燃料を供給する燃料供給装置との配置に特徴を有する燃焼式打ち込み工具に関する。
【背景技術】
【０００２】
ガス燃焼式衝撃工具の一例として、密閉された燃焼室内へ可燃性ガスを注入して燃焼室内で可燃性ガスと空気との混合ガスを生成し、この混合ガスを燃焼室内で燃焼させることによって燃焼室内に高圧の燃焼ガスを発生させ、この高圧の燃焼ガスを打撃シリンダ内に収容されている打撃ピストンに作用させて打撃ピストンを打撃シリンダ内で衝撃的に駆動させ、この打撃ピストンの下面側に結合されているドライバによって釘を木材や鋼板やコンクリート等へ打ち込むようにしたガス燃焼式打ち込み工具が知られている。
【０００３】
このようなガス燃焼式打ち込み工具では、液化した燃料ガスを充填したガス缶等の燃料容器を工具内に装着するとともに、可燃性ガスに着火するための電力源であるバッテリーを工具に装着することによって携帯が可能な工具として形成されており、電力や圧縮空気等の動力供給源に拘束されることなく釘やピンの打ち込み作業を行うことが可能とされている。
【０００４】
このようなガス燃焼式打ち込み工具では、打撃ピストンを摺動自在に収容した打撃シリンダがハウジング内に配置されており、前記打撃ピストンの下面側には釘を打撃するためのドライバが結合され、該ドライバが前記ハウジングの下部に結合されているノーズ部に形成された射出口内に収容されて案内されている。前記打撃ピストンが打撃シリンダ内で駆動されることによって打撃ピストンに結合されたドライバがこの射出口内を衝撃的に駆動されて、ノーズ部の射出口内に供給された釘を射出口からノーズ部の先端に配置された被打込材へ向けて打ち出すように形成されている。
【０００５】
打撃シリンダの上部には環状のスリーブによって燃焼室が形成されており、この燃焼室内で生成される燃焼ガスが打撃ピストンに作用して打撃ピストンを打撃シリンダ内で駆動させるようにしている。該燃焼室内へのガス燃料の供給は、ガス燃料の供給量を制御する弁を備えた燃料供給装置によって行われ、この燃料供給装置がカートリッジ等のガス容器に充填されている可燃性ガスを燃焼室内へ供給する。このように燃焼室内に供給された可燃性ガスは、回転ファンによって燃焼室内の空気と撹拌混合されて所定の空燃比の混合ガスが生成される。
【０００６】
さらに、燃焼室内には、燃焼室内で生成された混合ガスに点火して混合ガスを燃焼室内で爆発的に燃焼させるための点火装置が形成されている。点火装置は通常高電圧を放電させることによって火花を発生させる点火プラグ等によって形成されており、作業者がトリガを操作することによって作動されて燃焼室内に火花を発生させ、これによって燃焼室内の混合ガスに着火させて釘打機を駆動させるようにしている。
【０００７】
例えば、特許文献１には、燃料容器に収容された液体燃料を燃料供給装置で燃焼室に供給する燃焼圧作動式工具が開示されている。この燃焼圧作動式工具においては、燃料供給装置から燃焼室までの通路において液体燃料を加熱し、燃料を気化させて燃焼室内で混合ガスを生成することとしている。
【先行技術文献】
【特許文献】
【０００８】
【特許文献１】特許第３８７２１４８号公報
【発明の概要】
【発明が解決しようとする課題】
【０００９】
しかし、上記した特許文献１記載の燃焼圧作動式工具では、燃焼室と離れた位置に燃料供給装置を配置することで燃料供給装置から燃焼室までの通路の距離が長く形成されており、燃焼室に燃料を供給するまでに時間を要する。このため、着火させるまでの時間がかかってしまうという問題があった。現状、この問題を解決するために燃焼室への燃料の供給量を多くするなどの対応がとられているが、この対応策は燃料を無駄に使用してしまうという新たな問題を抱えている。
【００１０】
そこで、本発明は、燃料供給装置から燃焼室までの燃料通路の距離を短くすることができ、着火させるまでの時間を短縮可能なガス燃焼式打ち込み工具を提供することを課題とする。
【課題を解決するための手段】
【００１１】
本発明は、上記した課題を解決するためになされたものであり、以下を特徴とする。
【００１２】
（請求項１）
請求項１に記載の発明は、以下の点を特徴とする。
【００１３】
すなわち、請求項１に記載のガス燃焼式打ち込み工具は、ガス燃料の燃焼圧力で締結材を打ち込むガス燃焼式打ち込み工具であって、ガス燃料を燃焼させるための燃焼室と、前記燃焼室にガス燃料を供給する燃料供給装置と、前記燃料供給装置から供給されたガス燃料を前記燃焼室に導くためのガス供給管と、を備え、前記燃料供給装置と前記燃焼室とを隣り合うように配置し、液化したガス燃料を充填した燃料容器を収容する燃料容器収容部を備えるとともに、前記燃料容器収容部に収容された燃料容器と前記燃料供給装置とはガス管で接続され、ボデーハウジングの内側を遮断壁で区画することにより、前記ガス管を収容するガス管収容部と、前記燃焼室からの熱い空気を前記燃料容器収容部の方向へと流す空気流路と、を形成したことを特徴とする。
【００１４】
（請求項２）
請求項２に記載の発明は、上記した請求項１記載の発明の特徴点に加え、以下の点を特徴とする。
【００１５】
すなわち、前記燃焼室は、前記ガス供給管路を取り付けるための接続部を備え、前記ガス供給管路の少なくとも一部は、前記接続部よりも熱伝導率の低い材料で形成されていることを特徴とする。
【００１６】
（請求項３）
請求項３に記載の発明は、上記した請求項１又は２記載の発明の特徴点に加え、以下の点を特徴とする。
【００１７】
すなわち、前記燃料供給装置と前記燃焼室との間には空気層部が設けられていることを特徴とする。
【００１８】
（請求項４）
請求項４に記載の発明は、上記した請求項１〜３のいずれかに記載の発明の特徴点に加え、以下の点を特徴とする。
【００１９】
すなわち、前記燃料供給装置と前記燃焼室との間には断熱部材が設けられていることを特徴とする。
【００２０】
（請求項５）
請求項５に記載の発明は、上記した請求項１〜４のいずれかに記載の発明の特徴点に加え、以下の点を特徴とする。
【００２１】
すなわち、前記燃料容器収容部はボデーハウジングの後方に連設されたグリップハウジングに設けられていることを特徴とする。
【００２２】
（請求項６）
請求項６に記載の発明は、上記した請求項１〜５のいずれかに記載の発明の特徴点に加え、以下の点を特徴とする。
【００２３】
すなわち、前記ガス管収容部には、外部と連通する排熱口が設けられていることを特徴とする。
【００２４】
（請求項７）
請求項７に記載の発明は、上記した請求項１〜６のいずれかに記載の発明の特徴点に加え、以下の点を特徴とする。
【００２５】
すなわち、前記ガス供給管の少なくとも一部は、弾性部材で形成されていることを特徴とする。
【００２６】
【００２７】
【００２８】
【００２９】
【発明の効果】
【００３０】
請求項１に記載の発明は上記の通りであり、ガス燃料を燃焼させるための燃焼室と、前記燃焼室にガス燃料を供給する燃料供給装置と、前記燃料供給装置から供給されたガス燃料を前記燃焼室に導くためのガス供給管と、を備え、前記燃料供給装置と前記燃焼室とを隣り合うように配置したため、燃料供給装置から燃焼室までの燃料通路の距離を短くすることができ、着火させるまでの時間を短縮できる。
【００３１】
また、請求項２に記載の発明は上記の通りであり、前記燃焼室は、前記ガス供給管路を取り付けるための接続部を備え、前記ガス供給管路の少なくとも一部は、前記接続部よりも熱伝導率の低い材料で形成されているので、燃料供給装置を燃焼室の近くに配置したにもかかわらず、燃焼室で発生する熱が燃料供給装置に伝わりにくくなる。このため、液化したガス燃料が燃料供給装置内で気化しにくくなっており、例えばガス燃料が気化することにより燃料供給装置内での流量調節が正しく行われないといった問題を回避できる。
また、前記燃料容器収容部に収容された燃料容器と前記燃料供給装置とはガス管で接続され、前記ガス管を収容するガス管収容部と前記燃焼室との間には遮断壁が設けられているため、燃焼室の熱が伝わりづらくなっており、ガス管において液化したガス燃料が気化するのを抑制できる。
また、前記燃料容器収容部に前記燃焼室で発生する熱を伝達するための熱伝達手段（空気流路）を備えているため、液化したガス燃料を充填した燃料容器を温めることで、燃料容器と燃料供給装置やガス管との温度差を小さくすることができる。これにより、温度差による圧力変化が発生しづらくなっており、圧力変化による液化ガス燃料の気化を抑制できる。
【００３２】
また、請求項３に記載の発明は上記の通りであり、前記燃料供給装置と前記燃焼室との間には空気層部が設けられているため、燃料供給装置を燃焼室の近くに配置したにもかかわらず、燃料供給装置が燃焼室からの輻射熱を受けにくくすることができ、燃料供給装置内で液化したガス燃料が気化するのを抑制できる。
【００３３】
また、請求項４に記載の発明は上記の通りであり、前記燃料供給装置と前記燃焼室との間には断熱部材が設けられているため、燃料供給装置を燃焼室の近くに配置したにもかかわらず、燃料供給装置が燃焼室からの輻射熱を受けにくくすることができ、燃料供給装置内で液化したガス燃料が気化するのを抑制できる。
【００３４】
また、請求項５に記載の発明は上記の通りであり、液化したガス燃料を充填した燃料容器を収容する燃料容器収容部を備え、この燃料容器収容部はグリップハウジング側に設けられているため、ガス燃焼式打ち込み工具をコンパクトに形成できる。
【００３５】
【００３６】
また、請求項６に記載の発明は上記の通りであり、前記ガス管収容部には、外部と連通する排熱口が設けられているため、ガス管収容部の熱を外に逃がすことができ、ガス管において液化したガス燃料が気化するのを抑制できる。
【００３７】
【００３８】
また、請求項７に記載の発明は上記の通りであり、前記ガス供給管の少なくとも一部は、弾性部材で形成されているため、ガス供給管の屈曲部を少なくすることができ、管路抵抗を受けづらくすることで素早く燃料を供給できる。
【図面の簡単な説明】
【００３９】
【図１】コンタクト前のガス燃焼式打ち込み工具の断面図である。
【図２】コンタクト後のガス燃焼式打ち込み工具の断面図である。
【図３】燃料供給装置付近の分解部分拡大図である。
【図４】（ａ）トリガ付近の部分拡大図（ｂ）トリガ付近の断面図（（ａ）のＡ−Ａ断面図）である。
【図５】ガス管の位置を示す部分拡大図である。
【図６】ガス管に沿った断面図（図６のＢ−Ｂ断面図）である。
【発明を実施するための形態】
【００４０】
本発明の第１の実施形態について、図を参照しながら説明する。
【００４１】
図１に示すように、本実施形態に係るガス燃焼式打ち込み工具１０は、打撃シリンダ１３を収容したボデ−ハウジング１１の後方にグリップハウジング１２が連設されたものとなっており、打撃シリンダ１３内には釘を打撃するドライバ１４を下面側に結合した打撃ピストン１５が摺動可能に収容されている。前記ボデ−ハウジング１１の下部には釘を被打込材へ向けて打込み案内する射出口１７を形成しているノーズ部１６が取り付けられており、前記打撃ピストン１５に結合されたドライバ１４がこのノーズ部１６の射出口１７内に摺動可能に収容されて案内されている。このノーズ部１６の後方側には多数の釘が装填されたマガジン１８が連設されており、マガジン１８内の釘がノーズ部１６の射出口１７内へ順次供給され、射出口１７内へ供給された釘が前記ドライバ１４によって打撃されて射出口１７から被打込材へ打ち出すようにされている。
【００４２】
前記打撃シリンダ１３の上方には可燃性ガスと空気との混合ガスが生成されるとともにこの混合ガスを燃焼させるための燃焼室１９が形成されている。燃焼室１９は、打撃ピストン１５の上端面が晒されている打撃シリンダ１３の上端と上部ハウジング２０の内部に形成された上壁２１との間に配置されている環状の可動スリーブ２２によって形成されている。この燃焼室１９内では、可燃性ガスと空気との混合ガスが生成され、この混合ガスを燃焼させることによって生じる燃焼ガスの圧力を前記打撃ピストン１５に作用させて、打撃ピストン１５を打撃シリンダ１３内の下死点位置に配置されているバンパ２３まで駆動させるようにしている。
【００４３】
燃焼室１９を形成している可動スリーブ２２は、打撃ピストン１５の作動方向に沿って摺動可能に配置されており、ガス燃焼式打ち込み工具１０が起動される以前には、図１に示すように、可動スリーブ２２が下方位置に配置されており、打撃シリンダ１３の外周面とボデ−ハウジング１１の内周面との間に形成された通路２４が、燃焼室１９内と連通している。また、ガス燃焼式打ち込み工具１０で釘を打つ際には、図２に示すように、可動スリーブ２２を上方位置へ作動させて、燃焼室１９内が大気と遮断されるようにする。なお、可動スリーブ２２の上端部及び下端部には、燃焼室１９内の混合ガスが漏れないようにシールするためのＯリング２５が設けられている。
【００４４】
図１及び図２に示すように、ボデ−ハウジング１１の内周面と打撃シリンダ１３の外周面との間の空間には、リンク部材２６及びガイドブロック２７が摺動可能に配置されており、リンク部材２６に押動されたガイドブロック２７の上端が可動スリーブ２２を上方へ作動させることによって、前記したように可動スリーブ２２が上方へ作動されて燃焼室１９内が密閉されるようになっている。なお、前記リンク部材２６の下端部は、ノーズ部１６の射出口１７の先端方向に突出させて配置されているコンタクト部材２８の上端部と連結されており、ガス燃焼式打ち込み工具１０のノーズ部１６を被打込材に押し当てる操作によって、コンタクト部材２８が操作されて前記リンク部材２６及びガイドブロック２７を介して可動スリーブ２２を上方へ作動させて燃焼室１９内を大気と遮断させるようにしている。
【００４５】
前記燃焼室１９の上壁２１を形成している上部ハウジング２０には、可燃性ガスを燃焼室１９内に供給するために、燃焼室１９内に臨まされた供給口２９が形成されている。この供給口２９には、ガス供給管３１を取り付けるための接続部３０が設けられており、この接続部３０によって供給口２９はガス供給管３１と接続されている。ガス供給管３１は、燃料供給装置３２から供給されたガス燃料を燃焼室１９に導くためのものである。なお、燃料供給装置３２は、燃焼室１９にガス燃料を供給するためのものであって、ガス燃料の供給量を制御する弁を備えている。詳しくは、燃料供給装置３２は、ガス管３３を介して液化したガス燃料を充填した燃料容器３４に接続されており、ノーズ部１６を被打込材に押し当てることによって可動スリーブ２２が上方へ移動して燃焼室１９内が密閉された後に、前記燃料容器３４からガス管３３を介して燃焼室１９内へ一定量の可燃性ガスを供給するように形成されている。
【００４６】
なお、ガス燃料を充填した燃料容器３４は、図１に示すように、グリップハウジング１２に設けられた燃料容器収容部４２に収容されている。また、この燃料容器３４の流出路付近にはノズル４４が設けられ、ステンレスパイプであるガス管３３に接続されている。図３に示すように、このガス管３３によって、燃料容器３４と燃料供給装置３２とが接続されており、このガス管３３はグリップハウジング１２に設けられたガス管収容部４３に収容されている。
【００４７】
また、前記上部ハウジング２０には、燃焼室１９内に供給された可燃性ガスを燃焼室１９内の空気と撹拌させて燃焼室１９内で所定の空燃比の混合ガスを生成するための回転ファン３５が形成されている。この回転ファン３５は、上部ハウジング２０に形成された凹部内に収容された電動モータ（図示せず）によって燃焼室１９の周壁に沿って回転される放射状に配置された羽を有しており、この回転ファン３５によって燃焼室１９内の空気が燃焼室１９の環状の周壁に沿って動かされて燃焼室１９内に周方向の空気の流れ生成するようにしている。この回転ファン３５は、前記可動スリーブ２２が上方へ移動したときにＯＮ状態となるスイッチ３６を回転開始の契機として、グリップ部１２ａの内部に配置された制御基板４１により駆動制御される。
【００４８】
更に、上部ハウジング２０には、燃焼室１９内で生成された混合ガスに着火して燃焼させるための点火装置３７が形成されている。この点火装置３７は、グリップ部１２ａの後端部に装着されているバッテリー３８の電圧を高電圧に昇圧させてこの高電圧を放電させることによって火花を発生させるようにした一般的な点火プラグによって構成されており、混合ガスが生成された燃焼室１９内で火花を発生させることによって混合ガスに着火させて燃焼させ、高圧の燃焼ガスを燃焼室１９内で生成させる。この点火装置３７は、グリップ１２ａの基部に形成されているトリガ３９の操作により作動される点火スイッチ４０に基づいて前記制御基板４１を介して駆動される。
【００４９】
ところで、本実施形態においては、図１及び２に示すように、上記したガス燃料を燃焼させるための燃焼室１９と、前記燃焼室１９にガス燃料を供給する燃料供給装置３２とが、セラミック製の断熱部材４７を間に挟んで、隣り合うように配置されている。このため、燃料供給装置３２から燃焼室１９までの燃料通路の距離が短くなっており、燃料の供給を迅速に行うことができ、着火させるまでの時間を短縮可能なものとなっている。
【００５０】
ここで、燃焼室１９と燃料供給装置３２との間に設けられた断熱部材４７は、ボデ−ハウジング１１との間に間隙を生じるように配置されており、これにより、燃料供給装置３２と燃焼室１９との間に空気層部４８が形成されている。このように、燃料供給装置３２と燃焼室１９との間には、断熱部材４７に加えて空気層部４８が設けられているため、燃料供給装置３２を燃焼室１９と隣り合うように配置したにもかかわらず、燃料供給装置３２が燃焼室１９からの輻射熱を受けにくくなっており、液化したガス燃料が燃料供給装置３２内で気化するのを抑制している。
【００５１】
また、上記したように、燃料供給装置３２から供給されたガス燃料を燃焼室１９に導くためのガス供給管３１は燃焼室１９の上方に設けられた接続部３０と接続されているが、このガス供給管３１は、前記接続部３０よりも熱伝導率の低い材料で形成されている。具体的には、金属製の接続部３０に対してシリコンゴム製あるいはフッ素ゴム製のガス供給管３１を取り付けるようになっている。このため、燃焼室１９の熱が熱伝導率の低いガス供給管３１の方へと伝達されにくくなっており、燃料供給装置３２を燃焼室１９と隣り合うように配置したにもかかわらず、燃焼室１９の熱がガス供給管３１を介して燃料供給装置３２に伝わりにくくなっており、液化したガス燃料が燃料供給装置３２内で気化するのを抑制している。
【００５２】
なお、上述したように、このガス供給管３１はシリコンゴム製あるいはフッ素ゴム製の弾性部材であるため、屈曲部を少なくすることができる。このため、管路抵抗を受けづらくすることで素早く燃料を供給できるようにもなっており、燃焼室１９への燃料供給をスムーズに行うことができるという利点もある。
【００５３】
また、本実施形態においては、図３に示すように、ガス管３３を収容するガス管収容部４３と燃焼室１９との間には熱移動を遮断するための遮断壁４５が設けられており、これによりガス管収容部４３と燃焼室１９とが隔たれている。このため、燃焼室１９の熱がガス管３３に伝わりづらくなっており、ガス管３３が温められて、液化したガス燃料がガス管３３で気化するのを抑制している。詳しくは、燃焼室１９の空気は、燃焼室１９内と連通する通路２４を通ってボデ−ハウジング１１のボデ−排出口４９とグリップハウジング１２の方向にも排気（排熱）されるため、図４（ｂ）の矢印Ｄの方向に空気（熱）が流れることとなる。しかしながら、図４（ｂ）に示すように、この空気（熱）が流れを遮る遮断壁４５が設けられているため、この空気（熱）はガス管３３を収容するガス管収容部４３の方向へと流れないようになっている。
【００５４】
ところで、上記したガス管３３は、図５の一点鎖線（ＰＩＰＥ）で示すように、上下方向に延設されており、前記した燃焼室１９からの空気（熱）は、このガス管３３に沿って燃料容器収容部４２の方向へと流れていく。言い換えると、遮断壁４５で隔てられたガス管収容部４３の隣を燃焼室１９からの空気（熱）が流れるようになっている。このため、遮断壁４５が設けられているといっても、ガス管収容部４３内の温度が上昇することは避けられないため、このガス管収容部４３には、ガス管３３に沿った断面図である図６が示すように、外部と連通する排熱口４６が設けられている。すなわち、ガス管収容部４３は、ボデ−ハウジング１１の内側を遮断壁４５で区画することにより形成されているが、このガス管収容部４３を形成するボデ−ハウジング１１の外壁に複数の排熱口４６が開口形成されている。このため、ガス管収容部４３内に籠った熱を排熱口４６から外に逃がすことができ、ガス管３３が温められることによって液化したガス燃料が気化することを抑制できる。
【００５５】
更には、前記したように、燃焼室１９からの空気（熱）は燃料容器収容部４２の方向へと流れていくため、燃焼室１９で発生する熱により燃料容器収容部４２に収容された燃料容器３４が温められるように形成されている。すなわち、この空気流路が、燃焼室１９で発生する熱を燃料容器収容部４２へと伝達するための熱伝達手段として機能している。このため、燃焼室１９で発生する熱で燃料容器３４が温められ、この燃料容器３４と燃焼室１９の近くにある燃料供給装置３２やガス管３３との温度差が小さくなり、温度差による圧力変化で液化ガス燃料が気化することを抑制するように形成されている。
【００５６】
以上説明したように、本実施形態によれば、燃料供給装置３２と燃焼室１９とが隣り合うように配置されているため、ガス供給管３１の管路を短くなっている。また、ガス供給管３１の屈曲部が少なく形成されているため、ガス供給管３１の管路抵抗が小さくなっている。よって、燃焼室１９への燃料供給を素早く行うことができ、着火させるまでの時間を短縮できる。
【００５７】
更には、燃焼室１９の輻射熱で液化したガス燃料が気化するのを抑制するための種々の手段を備えているため、例えばガス燃料が気化することにより燃料供給装置３２内での流量調節が正しく行われないといった問題を回避することができる。
【００５８】
なお、上記した実施形態においては、燃料供給装置３２をグリップハウジング１２内に設けることとしているが、これに限らず、例えば、シリンダヘッドの上に燃料供給装置３２を設けてもよいし、ボディーハウジング１１側の外に燃料供給装置３２を装着することとしてもよい。
【００５９】
また、上記した実施形態においては、ガス管３３もグリップハウジング１２内に設けることとしているが、これに限らず、ガス管３３をグリップハウジング１２外に設けてもよい。また、ガス管３３が輻射熱を受けにくくするために、ガス管３３自体に断熱効果を持たせたり、断熱テープなど断熱性材料で覆ったり囲ったりしてもよい。
【００６０】
また、上記した実施形態においては、燃焼室１９から燃料容器収容部４２への空気流路が、燃焼室１９で発生する熱を燃料容器収容部４２へと伝達するための熱伝達手段であるとして説明したが、これに限らない。例えば、燃焼室１９から燃料容器収容部４２へと延在させた金属片を熱伝達手段として使用し、この金属片により燃焼室１９で発生する熱を燃料容器収容部４２へと伝達させてもよい。
【符号の説明】
【００６１】
１０  ガス燃焼式打ち込み工具
１１  ボデ−ハウジング
１２  グリップハウジング
１２ａグリップ部
１３  打撃シリンダ
１４  ドライバ
１５  打撃ピストン
１６  ノーズ部
１７  射出口
１８  マガジン
１９  燃焼室
２０  上部ハウジング
２１  上壁
２２  可動スリーブ
２３  バンパ
２４  通路
２５  Ｏリング
２６  リンク部材
２７  ガイドブロック
２８  コンタクト部材
２９  供給口
３０  接続部
３１  ガス供給管
３２  燃料供給装置
３３  ガス管
３４  燃料容器
３５  回転ファン
３６  スイッチ
３７  点火装置
３８  バッテリー
３９  トリガ
４０  点火スイッチ
４１  制御基板
４２  燃料容器収容部
４３  ガス管収容部
４４  ノズル
４５  遮断壁
４６  排熱口
４７  断熱部材
４８  空気層部
４９  ボデ−排出口
【図１】
0005516185.tif 000002
【図２】
0005516185.tif 000003
【図３】
0005516185.tif 000004
【図４】
0005516185.tif 000005
【図５】
0005516185.tif 000006
【図６】
0005516185.tif 000007